Podtech/llm-jp-corpus-v4-ja_patent huggingface dataset:
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
無線周波数（ＲＦ）エネルギーを使用してワイヤレスに充電するための装置であって、
第１および第２の充電エリアを有する第１の充電器部分と、前記第１および第２の充電エリアは、共通のプレーンに位置付けられ、前記第１および第２の充電エリアは各々、前記第１および第２の充電エリアのいずれかに近接して置かれた充電受信デバイスをワイヤレスに充電するために少なくとも１つのコイルを有し、前記第１および第２の充電エリアの各々における前記少なくとも１つのコイルは、それぞれの巻き線を備え、前記第１の充電エリアにおける前記コイルの前記巻き線は前記第２の充電エリアにおける前記コイルの前記巻き線のものと反対の方向に巻かれ、各コイルは、直列に接続され、各コイルは、少なくとも１つの充電受信デバイスを充電するように構成され、
第３の充電エリアを有する第２の充電器部分と、前記第３の充電エリアは、前記第３の充電エリアの近接に置かれた充電受信デバイスをワイヤレスに充電するために巻き線を備える少なくとも１つのコイルを有し、前記第３の充電エリアにおける前記コイルは、前記第１および第２の充電エリアにおける前記コイルと直列に接続されており、前記第３の充電エリアの前記コイルは、前記第１および第２の充電エリアの各々の前記コイルのプレーンに直交であるプレーンに位置付けられる、を備える、装置。
【請求項２】
各コイルは、複数の充電受信デバイスを充電するように構成される、請求項１に記載の装置。
【請求項３】
前記第１、第２、および第３の充電エリアのいずれかへの不特定の配列の近接に置かれた充電受信デバイスをさらに備え、前記第１および第２の充電エリアは、耳装着型充電受信デバイスを受信するように適合され、前記第３の充電エリアは、手首装着型充電受信デバイスを受信するように適合される、請求項１に記載の装置。
【請求項４】
充電エネルギーは、約６．７８ＭＨｚの周波数で転送される、請求項１に記載の装置。
【請求項５】
前記第１、第２、および第３の充電エリアのいずれかに関連付けられた前記コイルと前記充電受信デバイスに関連付けられたアンテナコイルとのエリアの比率は、約２対１から７対１の範囲に及ぶ、請求項１に記載された装置。
【請求項６】
前記コイルは、円筒コイル、平面コイル、およびプリントコイルから選ばれる、請求項１に記載の装置。
【請求項７】
前記プリントコイルは、軟質フィルム上で形成される、請求項６に記載の装置。
【請求項８】
前記第１の充電器部分および前記第２の充電器部分のいずれかで形成された凹部をさらに備え、アンテナコイルは、前記凹部の周辺に配置された円筒コイルとして構成され、前記凹部は充電受信デバイスを受信するように構成される、請求項１に記載の装置。
【請求項９】
各コイルと関連付けられたキャパシタおよびスイッチをさらに備え、導電性状態にあるときに前記スイッチが、関連付けられたコイルが充電エネルギーを生成するために電流を受信することを阻むように、前記スイッチは選択的に動作可能である、請求項１に記載の装置。
【請求項１０】
スイッチ、キャパシタ、およびコイルは充電構造を形成し、導電性状態にあるときに各それぞれのスイッチが、前記関連付けられたコイルが充電エネルギーを生成することを阻むように、複数の充電構造は、選択的に動作可能である、請求項９に記載の装置。
【請求項１１】
複数の充電構造は、多数の充電受信デバイスを充電するように構成され、前記充電受信デバイスの数は、充電構造の数と等しい、充電構造の数より大きい、または充電構造の数より小さいあらゆる数である、請求項１０に記載の装置。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
バルーンと、
バルーンの少なくとも一部上の被膜とを含み、
被膜が医薬製剤の粒子を含み、
医薬製剤のそれぞれの粒子は、少なくとも部分的にポリマー層に封入されている、
医療用デバイス。
【請求項２】
ポリマー層が２ミクロンから２０ミクロンの平均厚みを有する、請求項１に記載の医療用デバイス。
【請求項３】
医薬製剤が少なくとも５％の結晶化度を有する、請求項１に記載の医療用デバイス。
【請求項４】
医薬製剤の平均粒径が５ｎｍから１５０ｎｍまでである、請求項１に記載の医療用デバイス。
【請求項５】
医薬製剤の平均粒径が１ミクロン未満である、請求項１に記載の医療用デバイス。
【請求項６】
医薬製剤は、医薬製剤、ポリマー、および、溶媒の混合物の噴霧乾燥によって、ポリマー層に少なくとも部分的に封入される、請求項１に記載の医療用デバイス。
【請求項７】
医薬製剤は、医薬製剤の粒子上のポリマーの溶液を噴霧し乾燥させることにより、ポリマー層に少なくとも部分的に封入される、請求項１に記載の医療用デバイス。
【請求項８】
医薬製剤は、回転式の容器中で医薬製剤にポリマーの粒子を加えることにより、ポリマー層に少なくとも部分的に封入される、請求項１に記載の医療用デバイス。
【請求項９】
医薬製剤は、マクロライド免疫抑制剤である、請求項１に記載の医療用デバイス。
【請求項１０】
マクロライド免疫抑制剤は、ラパマイシン、４０−Ｏ−（２−ヒドロキシエチル）ラパマイシン（エベロリムス）、４０−Ｏ−ベンジル−ラパマイシン、４０−Ｏ−（４’−ヒドロキシメチル）ベンジル−ラパマイシン、４０−Ｏ−［４’−（１，２−ジヒドロキシエチル）］ベンジル−ラパマイシン、４０−Ｏ−アリル−ラパマイシン、４０−Ｏ−［３’−（２，２−ジメチル−１，３−ジオキソラン−４（Ｓ）−イル）−ｐｒｏｐ−２’−ｅｎ−１’−イル］−ラパマイシン、（２’：Ｅ，４’Ｓ）−４０−Ｏ−（４’，５’−ジヒドロキシペント−２’−ｅｎ−１’−イル）ラパマイシン、４０−Ｏ−（２−ヒドロキシ）エトキシカル−ボニルメチル−ラパマイシン、４０−Ｏ−（３−ヒドロキシ）プロピル−ラパマイシン、４０−Ｏ−（６−ヒドロキシ）ヘキシル−ラパマイシン、４０−Ｏ−［２−（２−ヒドロキシ）エトキシ］エチル−ラパマイシン、４０−Ｏ−［（３Ｓ）−２，２−ジメチルジオキソラン−３−イル］メチル−ラパマイシン、４０−Ｏ−［（２Ｓ）−２，３−ジヒドロキシプロプ−１−イル］−ラパマイシン、４０−Ｏ−（２−アセトキシ）エチル−ラパマイシン、４０−Ｏ−（２−ニコチノイルオキシ）エチル−ラパマイシン、４０−Ｏ−［２−（Ｎ−モルホリノ）アセトキシ］エチル−ラパマイシン、４０−Ｏ−（２−Ｎ−イミダゾリルアセトキシ）エチル−ラパマイシン、４０−Ｏ−［２−（Ｎ−メチル−Ｎ’−ピペラジニル）アセトキシ］エチル−ラパマイシン、３９−Ｏ−デスメチル−３９，４０−Ｏ，Ｏ−エチレン−ラパマイシン、（２６Ｒ）−２６−ジヒドロ−４０−Ｏ−（２−ヒドロキシ）エチル−ラパマイシン、２８−Ｏ−メチル−ラパマイシン、４０−Ｏ−（２−アミノエチル）−ラパマイシン、４０−Ｏ−（２−アセトアミノエチル）−ラパマイシン、４０−Ｏ−（２−ニコチンアミドエチル）−ラパマイシン、４０−Ｏ−（２−（Ｎ−メチル−イミダゾ−２’−イルカルベソキサミド）エチル）−ラパマイシン、４０−Ｏ−（２−エトキシカルボニルアミノエチル）−ラパマイシン、４０−Ｏ−（２−トリルスルホンアミドエチル）−ラパマイシン、４０−Ｏ−［２−（４’，５’−ジカルボエトキシ−１’，２’，３’−トリアゾル−１’−イル）−エチル］−ラパマイシン、４２−Ｅｐｉ−（テトラゾリル）ラパマイシン（タクロリムス）、および、４２−［３−ヒドロキシ−２−（ヒドロキシメチル）−２−メチルプロパノアート］ラパマイシンからなる群から選択される、請求項９に記載の医療用デバイス。
【請求項１１】
ポリマー層は生体吸収性ポリマーを含む、請求項１に記載の医療用デバイス。
【請求項１２】
生体吸収性ポリマーは、ポリ乳酸（ＰＬＡ）；ポリ（ラクチド−ｃｏ−グリコリド）（ＰＬＧＡ）；ポリ酸無水物；ポリオルトエステル；ポリ（Ｎ−（２−ヒドロキシプロピル）メタクリルアミド）；ポリ（ｄｌ−ラクチド）（ＤＬＰＬＡ）；ポリ（ｌ−ラクチド）（ＬＰＬＡ）；ポリグリコリド（ＰＧＡ）；ポリ（ジオキサノン）（ＰＤＯ）；ポリ（グリコリド−ｃｏ−トリメチレンカーボネート）（ＰＧＡ−ＴＭＣ）；ポリ（ｌ−ラクチド−ｃｏ−グリコリド）（ＰＧＡ−ＬＰＬＡ）；ポリ（ｄｌ−ラクチド−ｃｏ−グリコリド）（ＰＧＡ−ＤＬＰＬＡ）；ポリ（ｌ−ラクチド−ｃｏ−ｄｌ−ラクチド）（ＬＰＬＡ−ＤＬＰＬＡ）；ポリ（グリコリド−ｃｏ−トリメチレンカーボネート−ｃｏ−ジオキサノン）（ＰＤＯ−ＰＧＡ−ＴＭＣ）、ポリアルギニン、および、これらの混合物またはコポリマーからなる群から選択される、請求項１１に記載の医療用デバイス。
【請求項１３】
ポリマー層は耐久性のあるポリマーを含む、請求項１に記載の医療用デバイス。
【請求項１４】
医薬製剤の封入された粒子の外表面に被着した結合剤をさらに含む、請求項１に記載の医療用デバイス。
【請求項１５】
結合剤は、医薬製剤の封入された粒子上に結合剤の溶液を噴霧して乾燥させることによって被着する、請求項１４に記載の医療用デバイス。
【請求項１６】
結合剤は、ポリアルギニン、ポリアルギニン  ９−Ｌ−ｐＡｒｇ、ＤＥＡＥ−デキストラン（ジエチルアミノエチルセルロース−デキストラン）、ＤＭＡＢ（ジドデシルジメチルアンモニウムブロミド）、ＰＥＩ（ポリエチレンイミン）、ＴＡＢ（テトラドデシルアンモニウムブロミド）、および、ＤＭＴＡＢ（ジメチルジテトラデシルアンモニウムブロミド）の少なくとも１つを含む、請求項１４に記載の医療用デバイス。
【請求項１７】
結合剤はポリアルギニンである、請求項１４に記載の医療用デバイス。
【請求項１８】
医薬製剤の封入された粒子は、ｅＳＴＡＴ被膜プロセスを使用してバルーンに被着する、請求項１に記載の医療用デバイス。
【請求項１９】
医療用デバイスは、バルーンの膨張後、医薬製剤の少なくとも３％を放出する、請求項１に記載の医療用デバイス。
【請求項２０】
標的部位で医薬製剤を放出する方法であって、
前記方法は、
バルーンと、バルーンの少なくとも一部上の被膜を含むデバイスを提供する工程であって、被膜が医薬製剤の粒子を含んでおり、医薬製剤のそれぞれの粒子がポリマー層で少なくとも部分的に封入されている、工程、
バルーンが標的部位に到達可能なようにデバイスを位置決めする工程、および、
デバイスのバルーンを膨張させる工程を含み、
医薬製剤の少なくとも一部がバルーンの膨張で標的部位に放出される、方法。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
液体水タンクと、水注入口及び水排出口を有し、前記水注入口は前記液体水タンクに流体接続される液体水ポンプとを収容する基部本体と、
液体水注入口及び蒸気排出口を有し、前記蒸気排出口は少なくとも１つの蒸気ノズルを含む蒸気室と、前記蒸気室内に又は前記蒸気室に隣接して設けられ、前記蒸気室を通過する液体水を蒸発させる加熱要素と、電力変換電子機器及びサーモスタットを含み、前記加熱要素に給電し、前記加熱要素を制御するプリント回路基板とを収容する、前記基部本体に対し可動である蒸気ヘッドと、
前記基部本体内の前記液体水ポンプの前記水排出口と前記蒸気ヘッド内の前記蒸気室の前記液体水注入口とを流体的に相互接続する液体水管と、
を含む、衣類スチーマー。
【請求項２】
前記基部本体と前記蒸気ヘッドとを相互に接続し、前記液体水管の少なくとも一部を収容する弾性接続コードを更に含み、前記弾性接続コードは、１０ｍｍより小さい外径を有する、請求項１に記載の衣類スチーマー。
【請求項３】
前記液体水タンクは、３５０乃至７５０立方センチメートルの範囲内の容積を有する、請求項１又は２に記載の衣類スチーマー。
【請求項４】
前記蒸気ヘッドは、８００グラム、より好適には７５０グラムより少ない乾燥質量を有する、請求項１乃至３の何れか一項に記載の衣類スチーマー。
【請求項５】
前記基部本体に取付けられ、ユーザが前記基部本体を前記ユーザの体に留めることを可能にする締結具を更に含む、請求項１乃至４の何れか一項に記載の衣類スチーマー。
【請求項６】
前記液体水ポンプは、ダイアフラムポンプである、請求項１乃至５の何れか一項に記載の衣類スチーマー。
【請求項７】
前記液体水タンクと前記液体水ポンプの前記水注入口との間の流体接続部、又は、前記液体水管内に配置される液体水流量制御バルブを更に含む、請求項１乃至６の何れか一項に記載の衣類スチーマー。
【請求項８】
前記基部本体は、前記液体水タンクへの直接アクセスを提供する補給開口を画定する、請求項１乃至７の何れか一項に記載の衣類スチーマー。
【請求項９】
前記蒸気ヘッドは、筐体を含み、
前記筐体は、
第１の端及び第２の端を有し、ユーザの手によって握られる細長いハンドルセクションと、
前記細長いハンドルセクションの前記第１の端に設けられ、前記少なくとも１つの蒸気ノズルを含むノズルヘッドと、
前記ノズルヘッドから離れるように、かつ前記ノズルヘッドの周りに少なくとも部分的に延在する蒸気ガードと、
を画定する、請求項１乃至８の何れか一項に記載の衣類スチーマー。
【請求項１０】
前記少なくとも１つの蒸気ノズルは、実質的に平面的な物体が、前記少なくとも１つの蒸気ノズルと直接接触しないようにするスペーサブラケットによって囲まれる、請求項１乃至９の何れか一項に記載の衣類スチーマー。
【請求項１１】
前記蒸気室の前記蒸気排出口は、常に、開放されている、請求項１乃至１０の何れか一項に記載の衣類スチーマー。
【請求項１２】
前記液体水タンク、及び／又は、前記液体水タンクから前記少なくとも１つの蒸気ノズルまでの流体接続部内に含まれ、通過する水に例えば添加剤又は香料である少なくとも１つの化学物質を与える化学物質ディスペンサを更に含む、請求項１乃至１１の何れか一項に記載の衣類スチーマー。
【請求項１３】
前記基部本体は、液体水を蒸発させる加熱要素を収容しない、請求項１乃至１２の何れか一項に記載の衣類スチーマー。
【請求項１４】
前記蒸気ヘッドは、１５立方センチメートルより大きい容積を有する液体水容器を含まない、請求項１乃至１３の何れか一項に記載の衣類スチーマー。
【請求項１５】
布に蒸気を当てる方法であって、
布を提供するステップと、
請求項１乃至１４の何れか一項に記載の衣類スチーマーを提供するステップと、
前記液体水ポンプに、液体水を、前記液体水タンクから前記液体水管を介して前記蒸気室に汲み上げさせることによって、加熱要素の使用により前記衣類スチーマーに蒸気を生成させ、前記蒸気を前記衣類スチーマーの前記蒸気ヘッドの前記少なくとも１つのノズルを介して放出させるステップと、
前記蒸気ヘッドに収容されるプリント回路基板に設けられる電力変換電子機器及びサーモスタットによって、前記加熱要素に給電し、前記加熱要素を制御するステップと、
前記蒸気ヘッドを前記布に沿って動かすステップと、
を含む、方法。
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
縫合糸穴が横方向に貫通して延在する本体と、前記本体の長さの一部に沿って延在し、前記本体の外面からの所定深さを有する縫合糸凹部と、前記縫合糸凹部の近位端に配置され、かつ遠位端で前記所定深さとほぼ等しい深さを有し、近位端での深さがほぼゼロになるように近位方向において外方に傾斜する縫合糸挟み斜面とを備える植込物を備える組織を骨に留める固定システムにおいて、前記植込物の本体の遠位部分に配置され、固定具の初期展開中に縫合糸を最適に摺動させるため縫合糸の遠位側に骨を移動させる骨移動タブを備える固定システム。
【請求項２】
前記植込物が周囲の骨内に前記植込物を留める外面特徴をさらに備える、請求項１に記載の固定システム。
【請求項３】
前記外面特徴が骨かかりを備える、請求項２に記載の固定システム。
【請求項４】
近位端で前記本体の外面に配置され、前記本体の外面と隣接の骨との間で縫合糸または組織を締め付ける縫合糸かかりをさらに備える、請求項３に記載の固定システム。
【請求項５】
固定具の本体の近位端に挿入装置を収容する開口部を有する内部空隙をさらに備える、請求項１に記載の固定システム。
【請求項６】
固定具を骨に配置するために前記固定具の本体と係合可能である挿入部材をさらに備える、請求項１に記載の固定システム。
【請求項７】
固定具の本体が前記縫合糸挟み斜面に隣接する縫合糸止めをさらに備える、請求項１に記載の固定システム。
【請求項８】
前記挿入部材が近位の握り部分と前記握り部分の遠位端に接続される挿入管とを備える、請求項６に記載の固定システム。
【請求項９】
前記挿入管の遠位端に対して拡張および後退可能な縫合糸滑車ロッドをさらに備える、請求項８に記載の固定システム。
【請求項１０】
前記滑車ロッドの遠位端に一対の止め受けをさらに備え、前記一対の止め受けの間に間隙が設けられる、請求項９に記載の固定システム。
【請求項１１】
前記滑車ロッドを前記挿入管に対して後退および拡張させる回転可能なノブを前記握り部分にさらに備える、請求項９に記載の固定システム。
【請求項１２】
前記握りに配置されるノブ解放スライドをさらに備える、請求項１１に記載の固定システム。
【手続補正書】
【提出日】平成27年4月1日(2015.4.1)
【手続補正１】
【補正対象書類名】明細書
【補正対象項目名】００４７
【補正方法】変更
【補正の内容】
【００４７】
＜実施例９〜１４＞Ｇａｔａｐａｒｓｅｎ伝達用組成物の製造
分子量１５０〜４００ｋＤａのキトサンＨＣｌ  ４ｍｇ、チアミンピロリン酸２ｍｇ、プロタミン硫酸(Alps Pharmaceutical社製)０．５ｍｇをそれぞれ滅菌蒸留水１ｍＬに溶かした溶液を製造した。これらの溶液を０．２２μｍのフィルターで濾過した。Ｇａｔａｐａｒｓｅｎ（ｓｕｒｖｉｖｉｎ ａｎｔｉｓｅｎｓｅ）遺伝子（バイオニア社製）は滅菌蒸留水を用いて１ｍｇ／ｍＬの濃度で製造した。Ｌｉｐｏｉｄ Ｓ−１００およびＤＳＰＥ−ｍＰＥＧ２０００はリン脂質の全量が３０ｍｇとなるようにして、エタノール１ｍｌに溶かして、表３に指定された割合に応じて溶解した後、０．２２μｍのフィルターで濾過した。下記表３の重量比となるように、Ｇａｔａｐａｒｓｅｎ（ｓｕｒｖｉｖｉｎ ａｎｔｉｓｅｎｓｅ）遺伝子水溶液とプロタミン溶液を混合して前複合体を形成させた後、水溶性キトサン、チアミンピロリン酸およびリン脂質溶液を混合し、ナノ粒子を含有する組成物を製造した。ここで、Ｇａｔａｐａｒｓｅｎのシークエンスは、３’−ｄ（Ｐ−ｔｈｉｏ）（［２’−Ｏ−（２−ｍｅｔｈｏｘｙｅｔｈｙｌ）］ｍ５ｒＵ−［２’−Ｏ−（２−ｍｅｔｈｏｘｙｅｔｈｙｌ）］ｒＧ−［２’−Ｏ−（２−ｍｅｔｈｏｘｙｅｔｈｙｌ）］ｍ５ｒＵ−［２’−Ｏ−（２−ｍｅｔｈｏｘｙｅｔｈｙｌ）］ｒＧ−ｍ５Ｃ−Ｔ−Ａ−Ｔ−Ｔ−ｍ５Ｃ−Ｔ−Ｇ−Ｔ−Ｇ−［２’−Ｏ−（２−ｍｅｔｈｏｘｙｅｔｈｙｌ）］ｒＡ−［２’−Ｏ−（２−ｍｅｔｈｏｘｙｅｔｈｙｌ）］ｒＡ−［２’−Ｏ−（２−ｍｅｔｈｏｘｙｅｔｈｙｌ）］ｍ５ｒＵ−［２’−Ｏ−（２−ｍｅｔｈｏｘｙｅｔｈｙｌ）ｍ５ｒＵ］−５’を使用した。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
前面を画定する１次研磨部分であって、第１有機結合剤に保持された成形セラミック研磨粒子、及び希釈破砕研磨粒子を含む１次研磨部分と、
前記前面と反対側の後面を画定する２次研磨部分であって、前記２次研磨部分が前記１次研磨部分に結合され、第２有機結合剤に保持された２次破砕研磨粒子を含み、前記１次研磨部分が前記２次研磨部分より大きな体積パーセントの前記成形セラミック研磨粒子を含む、２次研磨部分と、を含み、
前記前面から前記後面まで延在する中央開口部を複合研磨ホイールの中に有する、複合研磨ホイール。
【請求項２】
前面を画定する１次研磨部分であって、第１有機結合剤に保持された成形セラミック研磨粒子を含む１次研磨部分と、
前記前面と反対側の後面を画定する２次研磨部分であって、前記２次研磨部分が前記１次研磨部分に結合され、第２有機結合剤に保持された２次破砕研磨粒子を含み、前記１次研磨部分が前記２次研磨部分より大きな体積パーセントの前記成形セラミック研磨粒子を含む、２次研磨部分と、を含み、
前記前面から前記後面まで延在する中央開口部を複合研磨ホイールの中に有し、
前記成形セラミック研磨粒子が切頭三角錐を含み、
前記切頭三角錐が７５〜８５度の範囲内の傾斜角を有する、複合研磨ホイール。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
ウェハレベル微小電気機械システム（ＭＥＭＳ）デバイスパッケージの製造方法であって：
ａ）独立した可動性微小電気機械構造体を有する基材を提供し；
ｂ）前記基材に重層した熱分解性犠牲層を形成し、前記犠牲層は、前記独立した可動性微小電気機械構造体を実質的に封入し；
ｃ）前記犠牲層をパターニングし；
ｄ）前記基材を、第１の温度にて第１の期間成形材料で封入し、前記犠牲層は依然として実質的に存在しており；そして
ｅ）前記成形材料を第２の温度で硬化し、これにより、前記パターニングした犠牲層を熱分解して、前記独立した可動性微小電気機械構造体を包囲するキャビティを形成する、
ことを含む、前記製造方法。
【請求項２】
前記基材がシリコン材料を含む、請求項１に記載の方法。
【請求項３】
前記犠牲層が、ポリカーボネート、ポリノルボルネン、ポリエーテル、ポリエステル、及びそれらの組み合わせから成る群より選択される材料から形成される、請求項１に記載の方法。
【請求項４】
前記犠牲層が、ポリプロピレンカーボネート（ＰＰＣ）、ポリエチレンカーボネート（ＰＥＣ）、ポリシクロヘキサンカーボネート（ＰＣＣ）、ポリシクロヘキサンプロピレンカーボネート（ＰＣＰＣ）、ポリノルボルネンカーボネート（ＰＮＣ）、及びそれらの組み合わせから成る群より選択されるポリカーボネートから形成される、請求項１に記載の方法。
【請求項５】
前記犠牲層が、ポリプロピレンカーボネート（ＰＰＣ）又はポリエチレンカーボネート（ＰＥＣ）から形成される、請求項１に記載の方法。
【請求項６】
前記犠牲層が光酸発生剤（ＰＡＧ）を更に含む、請求項１に記載の方法。
【請求項７】
光酸発生剤（ＰＡＧ）が、テトラキス（ペンタフルオロフェニル）ボレート−４−メチルフェニル［４−（１−メチルエチル）フェニルヨードニウム（ＤＰＩＴＰＦＰＢ）、トリス（４−ｔ−ブチルフェニル）スルホニウムテトラキス−（ペンタフルオロフェニル）ボレート（ＴＴＢＰＳ−ＴＰＦＰＢ）、及びトリス（４−ｔ−ブチルフェニル）スルホニウムヘキサフルオロホスフェート（ＴＴＢＰＳ−ＨＦＰ）から成る群より選択される、請求項６に記載の方法。
【請求項８】
犠牲層のパターニングの前に、前記犠牲層に重層した第１のオーバーコート層を提供することを更に含み、前記第１のオーバーコート層は、エポキシシクロヘキシルかご型シルセスキオキサン（ＥＰＯＳＳ）、ポリイミド、ポリノルボルネン、エポキシ樹脂、ベンゾシクロブテンベースのポリマー、ポリアミド、及びポリベンゾオキサゾール（ＰＢＯ）から成る群より選択されるポリマーから形成される、請求項１に記載の方法。
【請求項９】
前記犠牲層のパターニングが、最初に前記第１のオーバーコート層をパターニングし、前記第１のオーバーコート層のパターンを前記犠牲層に移すことを含む、請求項８に記載の方法。
【請求項１０】
前記第１のオーバーコート層を前記犠牲層の前記パターニング後に除去する、請求項９に記載の方法。
【請求項１１】
前記第１のオーバーコート層をエポキシシクロヘキシルかご型シルセスキオキサン（ＥＰＯＳＳ）から形成する、請求項８に記載の方法。
【請求項１２】
前記犠牲層が、約１μｍ〜約１０μｍの厚さを有する、請求項１に記載の方法。
【請求項１３】
前記第１のオーバーコート層が、約０．１μｍ〜約３μｍの厚さを有する、請求項１１に記載の方法。
【請求項１４】
前記成形材料が、約０．１ｍｍ〜約５ｍｍの厚さを有する、請求項１に記載の方法。
【請求項１５】
前記成形材料がエポキシ化合物である、請求項１に記載の方法。
【請求項１６】
前記成形を、約１６０℃〜約２００℃の温度及び約８ＭＰａ〜約１２ＭＰａの射出ゲージ圧で射出成形することにより実施し、前記犠牲層を約１８０℃〜約２５０℃の温度で分解する、請求項１に記載の方法。
【請求項１７】
前記犠牲層がポリエチレンカーボネート（ＰＥＣ）から形成される、請求項１に記載の方法。
【請求項１８】
前記光酸発生剤（ＰＡＧ）が、ジフェニルヨードニウム塩又はトリフェニルスルホニウム塩である、請求項６に記載の方法。
【請求項１９】
近接する第２のオーバーコート層を更に含み、前記第２のオーバーコート層は、前記パターニングした犠牲層を封入し、前記基材の一部に重層している、請求項８に記載の方法。
【請求項２０】
前記第２のオーバーコート層が、約０．１μｍ〜約３μｍの厚さを有する、請求項１９に記載の方法。
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
（ａ）少なくとも１種のジビニルアレーンと；
（ｂ）過酸化水素と；
（ｃ）少なくとも１種の鉄含有触媒と；
（ｄ）前記鉄含有触媒に対して過剰のアミン、過剰のアミンハロゲン化水素、または過剰のアミンとアミンハロゲン化水素の混合物と；
（ｅ）少なくとも１種の溶媒と
を反応させるステップを含む、ジビニルアレーンジオキシドを調製する方法。
【請求項２】
前記溶媒が２種以上の溶媒の混合物を含む、請求項１記載の方法。
【請求項３】
前記触媒が、反応混合物に添加する前にプロトン性溶媒中で生成され、但し、前記溶媒は三級アルコールを含まない、請求項１または請求項２記載の方法。
【請求項４】
前記ジビニルアレーンがジビニルベンゼンを含み；形成される前記ジビニルアレーンジオキシドがジビニルベンゼンジオキシドを含む、請求項１記載の方法。
【請求項５】
前記反応が最大約５：１までの過酸化水素：ジビニルアレーンのモル比で行われる、請求項１記載の方法。
【請求項６】
前記過酸化水素の濃度が約３０重量％〜約６０重量％である、請求項１記載の方法。
【請求項７】
前記鉄含有触媒が鉄、塩およびキレート配位子を含む、請求項１記載の方法。
【請求項８】
前記キレート配位子がアルキル−もしくはアリール−置換ホルムアミジン；非置換もしくはアルキル−、アリール、アラルキル−、ハロゲン−、カルボン酸−、アミノ−置換Ｎ−複素環およびアミノ酸、またはこれらの混合物を含む、請求項７記載の方法。
【請求項９】
鉄塩が塩化鉄（ＩＩ）、臭化鉄（ＩＩ）、酢酸鉄（ＩＩ）、フッ化鉄（ＩＩＩ）、塩化鉄（ＩＩＩ）、臭化鉄（ＩＩＩ）、酢酸鉄（ＩＩＩ）、またはこれらの混合物を含み；前記キレート配位子がイミダゾール、Ｈ２Ｐｙｄｉｃ、ピラゾール、ピリジン、オキサゾール、チアゾール；ヒスチジン、またはこれらの混合物を含む、請求項７または請求項８記載の方法。
【請求項１０】
前記鉄含有触媒が非三級アルコール溶媒中で反応混合物とは別に調製され；前記溶媒がエポキシ化のために前記触媒を使用する前に除去される、請求項１記載の方法。
【請求項１１】
前記鉄含有触媒がアルコール中で調製され；前記アルコールがメタノールである、請求項１記載の方法。
【請求項１２】
前記鉄含有触媒の充填が前記ジビニルアレーンの０．００１ｍｏｌ％〜２０ｍｏｌ％に及ぶ、請求項１記載の方法。
【請求項１３】
前記鉄含有触媒が単離されるまたは反応混合物中でその場生成される、請求項１記載の方法。
【請求項１４】
前記鉄含有触媒が固体支持体上に固定化され；前記固体支持体がゼオライト、粘土、シリカ、アルミナ、またはポリマーを含む、請求項１記載の方法。
【請求項１５】
ポリマー固体支持体がポリグリセロール、ポリスチレン、ポリメタクリレート、デンドリマー、またはポリビニル−ピリジンを含む、請求項１４記載の方法。
【請求項１６】
前記アミンハロゲン化水素が脂肪族の、アリールアルキルのもしくは脂環式のアミン、アミノ酸またはこれらの混合物のハロゲン化水素塩を含み、前記アミンハロゲン化水素塩のハロゲン化水素成分がフッ化水素、塩化水素、臭化水素、ヨウ化水素またはこれらの混合物を含み；前記アミンハロゲン化水素塩のアミン成分がプロピルアミン、イソプロピルアミン、ジイソプロピルアミン、ベンジルアミン、シクロヘキシルアミン、ヒスチジンまたはこれらの混合物を含む、請求項１記載の方法。
【請求項１７】
前記アミンがイソプロピルアミンである、請求項１記載の方法。
【請求項１８】
前記アミン塩化水素の添加量が前記鉄含有触媒に対して１当量超〜１０当量に及ぶ、請求項１記載の方法。
【請求項１９】
前記アミンの添加量が前記鉄含有触媒に対して２当量である、請求項１記載の方法。
【請求項２０】
前記反応が０℃〜８０℃の範囲内の温度で行われる、請求項１記載の方法。
【請求項２１】
前記溶媒がハロゲン化炭化水素、芳香族炭化水素、極性溶媒、エーテル、アルコール、フッ化アルコール、ケトン、またはこれらの混合物を含む、請求項１記載の方法。
【請求項２２】
前記溶媒の濃度が８０重量％〜９９重量％に及ぶ、請求項２１記載の方法。
【請求項２３】
前記溶媒がジクロロメタン、ジクロロエタン、トルエン、ジメチルホルムアミド、アセトニトリル、テトラヒドロフラン、ｔｅｒｔ−アミルアルコール、ｔｅｒｔ−ブタノール、メタノール、エタノール、トリフルオロエタノール、アセトン、メチル−エチル−ケトン、またはこれらの混合物を含む、請求項２１記載の方法。
【請求項２４】
前記溶媒がジクロロメタンとｔｅｒｔ−アミルアルコールの混合物、またはジクロロメタンとｔｅｒｔ−ブタノールの混合物である、請求項２３記載の方法。
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
式（Ｉ）：
2015501787.tif 000001
の化合物またはその塩において、
式中、Ｒ１が、水素、（Ｃ１〜Ｃ３）−アルキル、ヒドロキシル、および（Ｃ１〜Ｃ４）−アルコキシからなる群から選択され；
式中、Ｒ２が、水素または（Ｃ１〜Ｃ３）−アルキルであり；
式中、Ｒ３が、水素またはヒドロキシルであり；そして
式中、
2015501787.tif 000002
が、単結合または二重結合を表す
ことを特徴とする式（Ｉ）の化合物またはその塩。
【請求項２】
請求項１に記載の式（Ｉ）の化合物において、Ｒ１が５−メトキシであり、Ｒ２が水素であり、Ｒ３がヒドロキシルであり、そして
2015501787.tif 000003
が炭素−炭素二重結合である
ことを特徴とする式（Ｉ）の化合物。
【請求項３】
請求項１に記載の式（Ｉ）の化合物において、Ｒ１が水素であり、Ｒ２が水素であり、Ｒ３がヒドロキシルであり、そして
2015501787.tif 000004
が炭素−炭素二重結合である
ことを特徴とする式（Ｉ）の化合物。
【請求項４】
請求項１に記載の式（Ｉ）の少なくとも１種の化合物を、ＷＳ抽出物の総重量に基づき約０．２重量％〜約２．５重量％の量で含むことを特徴とするウィタニア・ソムニフェラ（Ｗｉｔｈａｎｉａ  ｓｏｍｎｉｆｅｒａ）（ＷＳ）抽出物組成物。
【請求項５】
請求項４に記載のＷＳ抽出物組成物において、１種または複数種のウィタノリドを、ＷＳ抽出物の総重量に基づき約７．０重量％〜約１０重量％の量でさらに含むことを特徴とするＷＳ抽出物組成物。
【請求項６】
請求項４に記載の抽出物と薬学的に受容可能なキャリアとを含むことを特徴とする薬学的組成物または機能性食品組成物。
【請求項７】
請求項１に記載の化合物と薬学的に受容可能なキャリアとを含むことを特徴とする薬学的組成物または機能性食品組成物。
【請求項８】
ウィタニア・ソムニフェラ（Ｗｉｔｈａｎｉａ  ｓｏｍｎｉｆｅｒａ）（ＷＳ）抽出物を製造する方法において、
（ａ）ウィタニア・ソムニフェラ（Ｗｉｔｈａｎｉａ  ｓｏｍｎｉｆｅｒａ）（ＷＳ）植物の部分を供給するステップと、
（ｂ）前記ＷＳ植物部分を粉砕して粉末を供給するステップと、
（ｃ）水を用いて前記ＷＳ粉末を抽出してＷＳ水抽出物を供給するステップと、
（ｄ）前記ＷＳ水抽出物を乾燥させて、式（Ｉ）：
2015501787.tif 000005
［式中、Ｒ１は、水素、（Ｃ１〜Ｃ３）−アルキル、ヒドロキシル、および（Ｃ１〜Ｃ４）−アルコキシからなる群から選択され；
式中、Ｒ２は、水素または（Ｃ１〜Ｃ３）−アルキルであり；
式中、Ｒ３は、水素またはヒドロキシルであり；そして
式中、
2015501787.tif 000006
は、単結合または二重結合を表す］
の少なくとも１種の化合物またはその塩を含有するＷＳ抽出物粉末を供給するステップと
を含み、前記少なくとも１種の化合物が、ＷＳ抽出物の総重量に基づき約０．２重量％〜約１．６重量％の量で存在することを特徴とする方法。
【請求項９】
請求項８に記載の方法において、前記抽出ステップが、約３時間の時間にわたり約８０℃にて実施されることを特徴とする方法。
【請求項１０】
式（Ｉ）：
2015501787.tif 000007
［式中、Ｒ１は、水素、（Ｃ１〜Ｃ３）−アルキル、ヒドロキシル、および（Ｃ１〜Ｃ４）−アルコキシからなる群から選択され；
式中、Ｒ２は、水素または（Ｃ１〜Ｃ３）−アルキルであり；
式中、Ｒ３は、水素またはヒドロキシルであり；そして
式中、
2015501787.tif 000008
は、単結合または二重結合を表す］
の化合物またはその塩を製造する方法において、
（ａ）式（２）
2015501787.tif 000009
［式中、Ｒ１は、水素、（Ｃ１〜Ｃ３）−アルキル、ヒドロキシル、および（Ｃ１〜Ｃ４）−アルコキシからなる群から選択され；そして式中、Ｒ２は、水素または（Ｃ１〜Ｃ３）−アルキルである］
を有するトリプタミン化合物およびその塩を供給するステップと、
（ｂ）トリプタミン化合物（２）の溶液を塩基の存在下においてウィタノリド誘導体（１−ａ）：
2015501787.tif 000010
［式中、Ｒ３は、水素またはヒドロキシルであり；そして式中、
2015501787.tif 000011
は、単結合または二重結合を表す］
に添加して反応混合物を供給するステップと、
（ｃ）任意選択で、結果として生じた反応混合物を加熱するステップと、
（ｄ）前記反応生成物から前記式（Ｉ）の化合物またはその塩を単離するステップと
を含むことを特徴とする方法。
【請求項１１】
請求項１０に記載の方法において、ステップ（ｂ）の後に、約ｐＨ６．８〜７．８の中性アルミナを前記反応混合物に添加するステップをさらに含むことを特徴とする方法。
【請求項１２】
請求項１１に記載の方法において、化合物（２）と化合物（１−ａ）とのモル比が、約１：２であることを特徴とする方法。
【請求項１３】
請求項１１に記載の方法において、化合物（２）および化合物（１−ａ）と中性アルミナとの質量比が、約１：１０であることを特徴とする方法。
【請求項１４】
個体における認知症関連障害を処置または予防する組成物において、治療有効量の請求項１に記載の化合物またはその薬学的に受容可能な塩を含むことを特徴とする組成物。
【請求項１５】
請求項１４に記載の組成物において、前記化合物が、アセチルコリンエステラーゼ活性を阻害するのに有効であることを特徴とする組成物。
【請求項１６】
請求項１４に記載の組成物において、前記認知症関連障害が、アルツハイマー病であることを特徴とする組成物。
【請求項１７】
個体における不安障害または抑鬱性障害を処置または予防する組成物において、治療有効量の請求項１に記載の化合物またはその薬学的に受容可能な塩を含むことを特徴とする組成物。
【請求項１８】
請求項１７に記載の組成物において、前記化合物が、アセチルコリンエステラーゼ活性を阻害するのに有効であることを特徴とする組成物。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
以下の群から選択される化合物またはその立体異性体、あるいは前記化合物または前記立体異性体の製薬上許容される塩。
【化１】
2015501783.tif 000001
【請求項２】
以下の式の化合物。
【化２】
2015501783.tif 000002
【請求項３】
請求項２に記載の化合物および製薬上許容される担体を含む医薬組成物。
【請求項４】
製薬上許容される塩の形態である、以下の式の化合物。
【化３】
2015501783.tif 000003
【請求項５】
請求項４に記載の化合物および製薬上許容される担体を含む医薬組成物。
【請求項６】
以下の式の化合物。
【化４】
2015501783.tif 000004
【請求項７】
請求項６に記載の化合物および製薬上許容される担体を含む医薬組成物。
【請求項８】
製薬上許容される塩の形態である、以下の式の化合物。
【化５】
2015501783.tif 000005
【請求項９】
請求項８に記載の化合物および製薬上許容される担体を含む医薬組成物。
【請求項１０】
以下の式の化合物。
【化６】
2015501783.tif 000006
【請求項１１】
請求項１０に記載の化合物および製薬上許容される担体を含む医薬組成物。
【請求項１２】
製薬上許容される塩の形態である、以下の式の化合物。
【化７】
2015501783.tif 000007
【請求項１３】
請求項１２に記載の化合物および製薬上許容される担体を含む医薬組成物。
【請求項１４】
以下の式の化合物またはその立体異性体。
【化８】
2015501783.tif 000008
【請求項１５】
請求項１４に記載の化合物および製薬上許容される担体を含む医薬組成物。
【請求項１６】
製薬上許容される塩の形態である、以下の式の化合物またはその立体異性体。
【化９】
2015501783.tif 000009
【請求項１７】
請求項１６に記載の化合物および製薬上許容される担体を含む医薬組成物。
【請求項１８】
以下の式の化合物。
【化１０】
2015501783.tif 000010
【請求項１９】
請求項１８に記載の化合物および製薬上許容される担体を含む医薬組成物。
【請求項２０】
製薬上許容される塩の形態である、以下の式の化合物。
【化１１】
2015501783.tif 000011
【請求項２１】
請求項２０に記載の化合物および製薬上許容される担体を含む医薬組成物。
【請求項２２】
ｍＧｌｕＲ２受容体によって媒介される疾患または障害の治療用の薬剤の製造のための、請求項２、６、１０、１４または１８のいずれか一項に記載の化合物またはその立体異性体、あるいは前記化合物または前記立体異性体の製薬上許容される塩の使用であって、
前記疾患または障害が、アルツハイマー病、認知障害、統合失調症、気分障害、疼痛、および睡眠障害からなる群から選択される、使用。
【請求項２３】
前記疾患または障害が、アルツハイマー病である、請求項２２に記載の使用。
【請求項２４】
前記疾患または障害が、認知障害である、請求項２２に記載の使用。
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
表面メジアン孔径が約１μｍ〜約１５μｍの表面を有するコージエライトモノリスと、
前記コージエライトモノリスの表面に接合された、膜面を有するコージエライト−セラミック複合膜と、
を含む複合膜モノリスであって、
前記コージエライト−セラミック複合膜が、
前記表面メジアン孔径より小さいコージエライトメジアン粒径を有するコージエライト粒子と、
前記コージエライト粒子以外の、前記コージエライトメジアン粒径より小さいセラミックメジアン粒径を有するセラミック粒子と、
を含む混合物から形成された複合体であり、
前記膜面が、０．３μｍ以下の膜メジアン孔径を有する、複合膜モノリス。
【請求項２】
前記コージエライトメジアン粒径が約０．８μｍ〜約５μｍであり、かつ前記セラミックメジアン粒径が約０．０５μｍ〜約０．５μｍである、請求項１記載の複合膜モノリス。
【請求項３】
前記セラミック粒子がアルミナ粒子である、請求項１または２記載の複合膜モノリス。
【請求項４】
複合膜モノリスを形成する方法において、
コージエライトモノリスの表面にコージエライト−セラミック複合スリップを適用するステップであって、前記コージエライト−セラミック複合スリップが、コーティングされたコージエライトモノリスを形成するためのコージエライト粒子およびコージエライト粒子以外のセラミック粒子を含み、前記モノリスの表面が約１μｍ〜約１５μｍの表面メジアン孔径を有し、前記コージエライト粒子が表面メジアン孔径より小さいコージエライトメジアン粒径を有し、前記セラミック粒子が前記コージエライトメジアン粒径より小さいセラミックメジアン粒径を有し、前記コージエライト−セラミックス複合スリップが、前記コージエライト粒子と前記セラミック粒子の総合重量に基づいて、３０重量％〜９０の重量％のコージエライト粒子および１０重量％〜７０の重量％のセラミック粒子を含み、前記コージエライトメジアン粒径が約０．８μｍ〜約５μｍであり、かつ前記セラミックメジアン粒径が約０．０５μｍ〜約０．５μｍであるステップと；
前記コーティングされたコージエライトモノリスを焼成し、複合膜モノリスを形成するステップであって、焼成中に、前記コージエライト−セラミック複合スリップが、前記コージエライトモノリスの表面に接合されかつ０．３μｍ以下の膜メジアン孔径を有する膜面を有するコージエライト−セラミック複合膜を形成するステップと；
を含む方法。
【請求項５】
コージエライトスリップとセラミックスリップを混合して、コージエライト−セラミック複合スリップを形成するステップをさらに含み、
前記コージエライト粒子を、ビヒクルと、粉砕媒体と、結合剤、分散剤および消泡剤から成る群より選択される少なくとも１つの成分と混合して、コージエライト混合物を形成し；さらに
前記コージエライト粒子が前記コージエライトモノリスの表面メジアン孔径未満のメジアン粒径になるまで、前記コージエライト混合物を粉砕して、前記コージエライトスリップを形成する；
ことにより、前記コージエライトスリップを形成する、請求項４記載の方法。
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
ＵＶ硬化による、印刷工業で用いられるガラス繊維強化スリーブの製造方法であって、
少なくとも以下の工程
（１）ガラス繊維及びＵＶ硬化樹脂からＵＶ硬化スリーブを成型する工程と、
（２）ＵＶ照射により前記スリーブを硬化する工程と、
を含み、
使用する前記ガラス繊維を、上流の工程で、接着促進コーティングを伴う状態で提供し、
コーティングのために使用する組成物が、導電性ナノ粒子を含むことを特徴とする
ガラス繊維強化スリーブの製造方法。
【請求項２】
前記導電性ナノ粒子が、カーボンナノチューブを含むことを特徴とする請求項１に記載の方法。
【請求項３】
前記接着促進コーティングが、有機官能性シランを含むことを特徴とする請求項１又は２に記載の方法。
【請求項４】
前記コーティングの全成分の合計に対して、該コーティング中の前記ナノ粒子の質量分率が、０．５質量％〜４０質量％であることを特徴とする請求項１〜３のいずれか一項に記載の方法。
【請求項５】
前記ガラス繊維に対して、前記コーティングを、０．１質量％〜５質量％の量を使用することを特徴とする請求項１〜４のいずれか一項に記載の方法。
【請求項６】
工程（１）を、ＵＶ硬化樹脂で含浸されたガラス繊維を、位置及び張力の誘導の下で、回転シリンダーコアに付与するフィラメント巻き付け工程によって行うことを特徴とする請求項１〜５のいずれか一項に記載の方法。
【請求項７】
前記スリーブの全成分の合計に対して、前記スリーブ中の前記ガラス繊維の分率が、５５質量％〜８０質量％であることを特徴とする請求項１〜６のいずれか一項に記載の方法。
【請求項８】
前記スリーブは、前記スリーブから金属製印刷シリンダへの電荷の伝導を向上させる目的の金属部材を備え、該部材は、前記スリーブの内部の外面と前記スリーブ壁の内部を結合していることを特徴とする請求項１〜７のいずれか一項に記載の方法。
【請求項９】
前記金属部材が、有孔タブ、金属製リング及び接触ピンからなる群から選択される一種であることを特徴とする請求項８に記載の方法。
【請求項１０】
使用する前記ＵＶ硬化樹脂が、非導電性であることを特徴とする請求項１〜９のいずれか一項に記載の方法。
【請求項１１】
少なくとも、ガラス繊維及び硬化樹脂を含む印刷工業で用いられるガラス繊維強化スリーブであって、前記ガラス繊維が、導電性ナノ粒子を含む接着促進剤を有することを特徴とするガラス繊維強化スリーブ。
【請求項１２】
前記導電性ナノ粒子が、カーボンナノチューブを含むことを特徴とする請求項１１に記載のスリーブ。
【請求項１３】
前記スリーブが、前記印刷スリーブから金属製印刷シリンダへの電荷の伝導を向上させるための金属部材を有し、前記部材が、前記スリーブの内部の外面と前記スリーブ壁の内部を結合することができることを特徴とする請求項１１及び１２のうちいずれかに記載のスリーブ。
【請求項１４】
前記金属部材が、有孔タブ、金属製リング及び接触ピンからなる群から選択される一種であることを特徴とする請求項１３に記載のスリーブ。
【請求項１５】
異なる構成を有する他の層が、前記スリーブの外部表面に付いていることを特徴とする請求項１１〜１４のいずれか一項に記載のスリーブ。
【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
人間又は動物の体の手首の手掌側で生理学的パラメータを測定するための少なくとも１つのセンサを含むストラップと、
前記少なくとも１つのセンサから得られた測定出力を処理するための信号処理ユニットとを有し、
前記ストラップは、前記ストラップの両端で前記信号処理ユニットに対して調節可能な留め具を提供するように適合される、センサデバイス。
【請求項２】
前記信号処理ユニットは、ユーザインタフェースを有する、請求項１に記載のセンサデバイス。
【請求項３】
前記ストラップは、前記少なくとも１つのセンサと前記信号処理ユニットとの間の配線を収容するための中空トンネルを有する、請求項１に記載のセンサデバイス。
【請求項４】
前記信号処理ユニットは、測定結果を格納するためのデータストレージを有する、請求項１に記載のセンサデバイス。
【請求項５】
前記ストラップは、前記体の手首の予め決められた測定位置に前記少なくとも１つのセンサを配置するための少なくとも１つのマーカを有する、請求項１に記載のセンサデバイス。
【請求項６】
前記予め決められた測定位置は、前記体の手首の手掌側の親指側である、請求項５に記載のセンサデバイス。
【請求項７】
前記ストラップは、前記調節可能な留め具及び前記ストラップの伸長性能のうち少なくとも一方により前記体の手首の両側で固定されるように適合される、請求項１に記載のセンサデバイス。
【請求項８】
前記ストラップは、前記ストラップの一端で前記信号処理ユニットにおいて挿入され、前記ストラップの他端でノブ部分上へ調節可能に固定されるように適合される、請求項１に記載のセンサデバイス。
【請求項９】
前記ストラップの前記一端は、ストラップ部分を除去又は追加するための予め決められたセグメント化パターンを有するセグメント化部分を有する、請求項８に記載のセンサデバイス。
【請求項１０】
前記ストラップは、前記少なくとも１つの電極を収容するための少なくとも１つの凹部を有する、請求項１に記載のデバイス。
【請求項１１】
人間又は動物の体の手首の手掌側にセンサデバイスを固定及び配置する方法であって、
前記体の予め決められた位置に前記センサデバイスのストラップ上に設けられたセンサを置くステップと、
前記体の一部の上に前記センサデバイスの信号処理ユニットを置き、前記の体部分に前記ストラップを巻きつけるステップと、
前記ストラップの最適なサイズをマークするステップと、
前記ストラップの一端においてセグメント化パターンから余剰部分を除去するか又はセグメント化パターンに欠けている部分を追加するステップと、
前記一端を前記信号処理ユニットに挿入し、固定するステップと、
可変長を有する着脱可能な固定メカニズムにより前記信号処理ユニットに前記ストラップの他端を固定するステップとを有する、方法。
【手続補正書】
【提出日】平成27年5月7日(2015.5.7)
【手続補正１】
【補正対象書類名】明細書
【補正対象項目名】００８１
【補正方法】変更
【補正の内容】
【００８１】
＊＊Ｎタグ付のプライマーの配列は、ＣＡＡＧＣＡＧＡＡＧＡＣＧＧＣＡＴＡＣＧＡＧＡＴＣＧＴＧＡＴＧＴＧＡＣＴＧＧＡＧＴＴＣＡＧＡＣＧＴＧＴＧＣＴＣＴＴＣＣＧＡＴＣＴであった。
【手続補正２】
【補正対象書類名】明細書
【補正対象項目名】配列表
【補正方法】追加
【補正の内容】
【配列表】
2015501646000001.app
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
ヒトの乳房再建における使用を含む、ヒトの軟組織修復に使用するための移植可能なシルク足場の適合性を判断するための方法であって、四足獣にシルク足場を移植するステップを含む、方法。
【請求項２】
前記シルク足場が、前記移植の６ヶ月後までにその強度の少なくとも約９０％を失っている、請求項１に記載の方法。
【請求項３】
前記シルク足場が内部成長組織と共に、前記移植の１２ヶ月後までに少なくとも約６０％の強度増加を示す、請求項１に記載の方法。
【請求項４】
セリシン枯渇またはセリシン抽出シルクフィブロイン繊維を含むシルク足場であって、前記シルク足場デバイスが、移植後１ヶ月以内に際立った血管分布によって示される未変性組織の内部成長を提供する、シルク足場。
【請求項５】
前記足場デバイスが、フィラメントがより合ったシルク糸を含む、請求項４に記載のシルク足場。
【請求項６】
前記足場デバイスが、開放孔編み構造を有する、請求項４に記載のシルク足場。
【請求項７】
乳房移植片の支持構造として使用するためのシルク足場デバイスを作製する方法であって、ラッシェル編み、縦編み、および／または横編みでシルク足場デバイスを編むことを含む、方法。
【請求項８】
前記足場デバイスが、縦目方向の移動２回、横目方向の移動１回の３回の移動により編まれる、請求項７に記載の方法。
【請求項９】
前記足場デバイスが、縦目方向の移動２回、横目方向の移動２回の４回の移動により編まれる、請求項７に記載の方法。